(57)【要約】  4つを超えるLCGがUEのために構成されているとき、BSRがバッファ報告要件を満たすことができないという従来の問題を解決するために、バッファステータス報告を送信するための方法およびユーザ機器が提供される。BSRを送信するための方法は、ユーザ機器UEによって、BSRを生成するステップであり、8つの論理チャネルグループLCGがUEのために構成され、BSRは、8つのLCGのうちの少なくとも1つのバッファインデックスを含み、LCGのバッファインデックスは、LCGのアップリンクバッファ量を示し、BSRはXバイトを占有し、1つのLCGのバッファインデックスはNビットを占有し、Xは1から17に及ぶ整数であり、Nは5から16に及ぶ整数であり、Xが1であり、Nが6である場合は存在しない、ステップと、UEによって、BSRをネットワーク側デバイスに送信するステップとを含む。
2020523945.tif 000002
【特許請求の範囲】
【請求項１】
バッファステータス報告BSRを送信するための方法であって、
ユーザ機器UEによって、前記BSRを生成するステップであり、8つの論理チャネルグループLCGが前記UEのために構成され、前記BSRは、前記8つのLCGのうちの少なくとも1つのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在しない、ステップと、
前記UEによって、前記BSRをネットワーク側デバイスに送信するステップと
を含む方法。
【請求項２】
バッファステータス報告BSRを送信するための方法であって、
ユーザ機器UEによって、前記BSRを生成するステップであり、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在しない、ステップと、
前記UEによって、前記BSRをネットワーク側デバイスに送信するステップと
を含む方法。
【請求項３】
バッファステータス報告BSRを受信するための方法であって、
ネットワーク側デバイスによって、前記BSRを受信するステップであり、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在しない、ステップ
を含む方法。
【請求項４】
前記BSRは、前記8つのLCGのうちの1つのアップリンクバッファ量を示すために使用され、前記BSRは、LCG識別IDをさらに含み、前記LCG IDは3ビットを占有し、Xは1または2であり、Nは5から13に及ぶ整数である、請求項1から3のいずれか一項に記載の方法。
【請求項５】
Xが1に等しく、Nが5に等しい、請求項4に記載の方法。
【請求項６】
Xが2に等しく、Nが6から13に及ぶ整数である、請求項4に記載の方法。
【請求項７】
Nが13未満であるとき、前記LCG IDおよび前記バッファインデックスを除く前記BSR内の(13-N)ビットは、予約ビットまたはパディングビットとして構成される、請求項6に記載の方法。
【請求項８】
前記BSRは、前記8つのLCGのアップリンクバッファ量を示すために使用され、前記BSRは、前記8つのLCGの各々のバッファインデックスを含み、Nは5から13に及ぶ整数であり、XはNに等しい、請求項1から3に記載の方法。
【請求項９】
前記BSRの第1のバイトの8ビットは、前記8つのLCGと1対1に対応しており、前記第1のバイトの各ビットは、対応するLCGがアップリンクバッファを有するかどうかを示すために使用される、請求項1から3のいずれか一項に記載の方法。
【請求項１０】
前記BSRは、前記8つのLCG内のアップリンクバッファを有するK個のLCGの各々のバッファインデックスを含み、Kは正の整数である、請求項9に記載の方法。
【請求項１１】
前記第1のバイト内のビットの値が0である場合、前記ビットに対応するLCGがアップリンクバッファを有していないことを示し、または、
前記第1のバイト内のビットの値が1である場合、前記ビットに対応するLCGがアップリンクバッファを有することを示す
請求項9または10に記載の方法。
【請求項１２】
前記BSRの第1のバイトの8ビットは、前記8つのLCGと1対1に対応しており、前記第1のバイトの各ビットは、前記BSRが対応するLCGのバッファインデックスを含むかどうかを示すために使用される、請求項1から3のいずれか一項に記載の方法。
【請求項１３】
前記BSRは、前記BSRが前記第1のバイト内にバッファインデックスを含むことを示すビットに対応するK個のLCGの前記バッファインデックスを含み、Kは正の整数である、請求項12に記載の方法。
【請求項１４】
前記第1のバイト内のビットの値が0である場合、前記BSRに含まれる前記ビットに対応するLCGがバッファインデックスを有することを示す、または、
前記第1のバイト内のビットの値が1である場合、前記BSRに含まれる前記ビットに対応するLCGがバッファインデックスを有していないことを示す
請求項12または13に記載の方法。
【請求項１５】
Kが8未満である、請求項9から14のいずれか一項に記載の方法。
【請求項１６】
X=K+1である、請求項9から15のいずれか一項に記載の方法。
【請求項１７】
前記K個のLCGに対応する前記K個のバッファインデックスは、前記BSRの第2のバイトから構成され、前記K個のバッファインデックスのシーケンスは、前記K個のLCGに対応する前記第1のバイト内の前記ビットのシーケンスに一致する、請求項9から16に記載の方法。
【請求項１８】
Nが8に等しい、請求項9から17のいずれか一項に記載の方法。
【請求項１９】
パディングビットが、前記BSR内の前記K個のバッファインデックスの後にさらに構成される、請求項9から18のいずれか一項に記載の方法。
【請求項２０】
Nが5に等しいとき、前記LCGの前記バッファインデックスによって示される前記アップリンクバッファ量は、Si=S2iLTE∪S2i+1LTEを満たし、iは前記バッファインデックスの値であり、iは0から31に及ぶ整数であり、Siは、前記バッファインデックスの値がiのときに示されるアップリンクバッファ量を示し、SjLTEは、前記ロングタームエボリューションLTEプロトコルで定義されたバッファインデックスの値がjのときに示されるアップリンクバッファ量を示し、jは0から63に及ぶ整数であり、∪は和集合演算子である、請求項1から19のいずれか一項に記載の方法。
【請求項２１】
1つのLCGのみがアップリンクバッファを有するとき、もしくは1つのLCGのみが報告されるべきバッファインデックスを有するとき、前記BRSは1バイトを占有し、LCG識別IDは前記バイト内の3ビットを占有し、前記LCG識別IDに対応するLCGバッファインデックスは、前記バイト内の残りの5ビットを占有する、または
M個のLCGがアップリンクバッファを有するとき、前記BSRは(M+1)バイトを占有し、前記M個のLCGに対応する前記BSRの第1のバイトのMビットは、対応するLCGのものであり、前記BSRに含まれるバッファインデックスを示し、各LCGのバッファインデックスは1バイトを占有する
請求項1から20のいずれか一項に記載の方法。
【請求項２２】
トランシーバとプロセッサとを含むユーザ機器であって、
前記プロセッサは、バッファステータス報告BSRを生成し、8つの論理チャネルグループLCGが前記UEのために構成され、前記BSRは、前記8つのLCGのうちの少なくとも1つのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在せず、
前記トランシーバは、前記プロセッサによって生成された前記BSRを送信する
ユーザ機器。
【請求項２３】
トランシーバとプロセッサとを含むユーザ機器であって、
前記プロセッサはバッファステータス報告BSRを生成するように構成され、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在せず、
前記トランシーバは前記BSRを送信するように構成される
ユーザ機器。
【請求項２４】
前記デバイスがメモリをさらに含み、前記メモリがコンピュータ命令を記憶し、前記コンピュータ命令が前記プロセッサによって実行され得る、請求項22または23に記載のユーザ機器。
【請求項２５】
トランシーバモジュールと処理モジュールとを含むユーザ機器であって、
前記処理モジュールが、バッファステータス報告BSRを生成するように構成され、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在せず、
前記トランシーバモジュールは前記BSRを送信するように構成される
ユーザ機器。
【請求項２６】
前記ユーザ機器が記憶モジュールをさらに含み、前記記憶モジュールがコンピュータ命令を記憶し、前記コンピュータ命令が前記処理モジュールによって実行され得る、請求項25に記載のユーザ機器。
【請求項２７】
前記BSRは、1つのLCGのアップリンクバッファ量を示すために使用され、前記BSRは、LCG IDをさらに含み、前記LCG IDは3ビットを占有し、Xは1または2であり、Nは5から13に及ぶ整数である、請求項22から26のいずれか一項に記載のユーザ機器。
【請求項２８】
Xが1に等しく、Nが5に等しい、請求項27に記載のユーザ機器。
【請求項２９】
前記BSRの第1のバイトの8ビットは、前記8つのLCGと1対1に対応しており、前記第1のバイトの各ビットは、対応するLCGがアップリンクバッファを有するかどうかを示すために使用される、請求項22から26に記載のユーザ機器。
【請求項３０】
前記BSRは、前記8つのLCG内のアップリンクバッファを有するK個のLCGの各々のバッファインデックスを含み、Kは正の整数である、請求項29に記載のユーザ機器。
【請求項３１】
前記第1のバイト内のビットの値が0である場合、前記ビットに対応するLCGがアップリンクバッファを有していないことを示す、または
前記第1のバイト内のビットの値が1である場合、前記ビットに対応するLCGがアップリンクバッファを有することを示す
請求項29または30に記載のユーザ機器。
【請求項３２】
前記BSRの第1のバイトの8ビットは、前記8つのLCGと1対1に対応しており、前記第1のバイトの各ビットは、前記BSRが対応するLCGのバッファインデックスを含むかどうかを示すために使用される、請求項22から26のいずれか一項に記載のユーザ機器。
【請求項３３】
前記BSRは、前記BSRが前記第1のバイト内にバッファインデックスを含むことを示すビットに対応するK個のLCGの前記バッファインデックスを含み、Kは正の整数である、請求項32に記載のユーザ機器。
【請求項３４】
前記第1のバイト内のビットの値が0である場合、前記BSRに含まれる前記ビットに対応するLCGがバッファインデックスを有することを示す、または、
前記第1のバイト内のビットの値が1である場合、前記BSRに含まれる前記ビットに対応するLCGがバッファインデックスを有していないことを示す
請求項32または33に記載のユーザ機器。
【請求項３５】
Kが8未満である、請求項29から34のいずれか一項に記載のユーザ機器。
【請求項３６】
X=K+1である、請求項29から35のいずれか一項に記載のユーザ機器。
【請求項３７】
前記K個のLCGに対応する前記K個のバッファインデックスは、前記BSRの第2のバイトから構成され、前記K個のバッファインデックスのシーケンスは、前記K個のLCGに対応する前記第1のバイト内の前記ビットのシーケンスに一致する、請求項29から36に記載のユーザ機器。
【請求項３８】
Nは8に等しい、請求項29から37のいずれか一項に記載のユーザ機器。
【請求項３９】
1つのLCGのみがアップリンクバッファを有するとき、もしくは1つのLCGのみが報告されるべきバッファインデックスを有するとき、前記BRSは1バイトを占有し、LCG識別IDは前記バイト内の3ビットを占有し、前記LCG識別IDに対応するLCGバッファインデックスは、前記バイト内の残りの5ビットを占有する、または
M個のLCGがアップリンクバッファを有するとき、前記BSRは(M+1)バイトを占有し、前記M個のLCGに対応する前記BSRの第1のバイトのMビットは、対応するLCGのものであり、前記BSRに含まれるバッファインデックスを示し、各LCGのバッファインデックスは1バイトを占有する
請求項22から38のいずれか一項に記載のユーザ機器。
【請求項４０】
トランシーバとプロセッサとを含むネットワーク側デバイスであって、
前記トランシーバが、バッファステータス報告BSRを受信するように構成され、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在せず、
前記プロセッサは前記BSRを処理するように構成される
ネットワーク側デバイス。
【請求項４１】
トランシーバモジュールと処理モジュールとを含むネットワーク側デバイスであって、
前記トランシーバモジュールが、バッファステータス報告BSRを受信するように構成され、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在せず、
前記処理モジュールは前記BSRを処理するように構成される
ネットワーク側デバイス。
【請求項４２】
前記ネットワーク側デバイスがメモリをさらに含み、前記メモリがコンピュータ命令を記憶し、前記コンピュータ命令が前記プロセッサによって実行され得る、請求項40に記載のネットワーク側デバイス。
【請求項４３】
前記ネットワーク側デバイスが記憶モジュールをさらに含み、前記記憶モジュールがコンピュータ命令を記憶し、前記コンピュータ命令が前記処理モジュールによって実行され得る、請求項41に記載のネットワーク側デバイス。
【請求項４４】
前記BSRは、8つのLCGのうちの1つのアップリンクバッファ量を示すために使用され、前記BSRは、LCG IDをさらに含み、前記LCG IDは3ビットを占有し、Xは1または2であり、Nは5から13に及ぶ整数である、請求項40から43のいずれか一項に記載のネットワーク側デバイス。
【請求項４５】
Xが1に等しく、Nが5に等しい、請求項44に記載のネットワーク側デバイス。
【請求項４６】
前記BSRの第1のバイトの8ビットは、8つのLCGと1対1に対応しており、前記第1のバイトの各ビットは、対応するLCGがアップリンクバッファを有するかどうかを示すために使用される、請求項40から43に記載のネットワーク側デバイス。
【請求項４７】
前記BSRは、前記8つのLCG内のアップリンクバッファを有するK個のLCGの各々のバッファインデックスを含み、Kは正の整数である、請求項46に記載のネットワーク側デバイス。
【請求項４８】
前記第1のバイト内のビットの値が0である場合、前記ビットに対応するLCGがアップリンクバッファを有していないことを示す、または
前記第1のバイト内のビットの値が1である場合、前記ビットに対応するLCGがアップリンクバッファを有することを示す
請求項46または47に記載のネットワーク側デバイス。
【請求項４９】
前記BSRの第1のバイトの8ビットは、8つのLCGと1対1に対応しており、前記第1のバイトの各ビットは、前記BSRが対応するLCGのバッファインデックスを含むかどうかを示すために使用される、請求項40から43のいずれか一項に記載のネットワーク側デバイス。
【請求項５０】
前記BSRは、前記BSRが前記第1のバイト内にバッファインデックスを含むことを示すビットに対応するK個のLCGの前記バッファインデックスを含み、Kは正の整数である、請求項49に記載のネットワーク側デバイス。
【請求項５１】
前記第1のバイト内のビットの値が0である場合、前記BSRに含まれる前記ビットに対応するLCGがバッファインデックスを有することを示す、または、
前記第1のバイト内のビットの値が1である場合、前記BSRに含まれる前記ビットに対応するLCGがバッファインデックスを有していないことを示す
請求項49または50に記載のネットワーク側デバイス。
【請求項５２】
Kが8未満である、請求項46から51のいずれか一項に記載のネットワーク側デバイス。
【請求項５３】
X=K+1である、請求項46から52のいずれか一項に記載のネットワーク側デバイス。
【請求項５４】
前記K個のLCGに対応する前記K個のバッファインデックスは、前記BSRの第2のバイトから構成され、前記K個のバッファインデックスのシーケンスは、前記K個のLCGに対応する前記第1のバイト内の前記ビットのシーケンスに一致する、請求項46から53に記載のネットワーク側デバイス。
【請求項５５】
Nは8に等しい、請求項46から54のいずれか一項に記載のネットワーク側デバイス。
【請求項５６】
1つのLCGのみがアップリンクバッファを有するとき、もしくは1つのLCGのみが報告されるべきバッファインデックスを有するとき、前記BRSは1バイトを占有し、LCG識別IDは前記バイト内の3ビットを占有し、前記LCG識別IDに対応するLCGバッファインデックスは、前記バイト内の残りの5ビットを占有する、または
M個のLCGがアップリンクバッファを有するとき、前記BSRは(M+1)バイトを占有し、前記M個のLCGに対応する前記BSRの第1のバイトのMビットは、対応するLCGのものであり、前記BSRに含まれるバッファインデックスを示し、各LCGのバッファインデックスは1バイトを占有する
請求項40から55のいずれか一項に記載のネットワーク側デバイス。
【請求項５７】
コンピュータ可読記憶媒体であって、前記コンピュータ可読記憶媒体がコンピュータ命令を記憶し、前記命令がコンピュータ上で実行されると、前記コンピュータが、請求項1から21のいずれか一項に記載の、BSRを送信するための前記方法を実行する、コンピュータ可読記憶媒体。
【請求項５８】
コンピュータプログラム製品であって、前記コンピュータプログラム製品がコンピュータ上で実行されると、前記コンピュータが、請求項1から21のいずれか一項に記載の、BSRを送信するための前記方法を実行する、コンピュータプログラム製品。
【請求項５９】
通信システムであって、前記通信システムが、請求項22から39のいずれか一項に記載の前記ユーザ機器、および請求項40から56のいずれか一項に記載の前記ネットワーク側デバイスを含む、通信システム。
【発明の詳細な説明】
【技術分野】
【０００１】
本出願は、2017年6月16日に中国特許庁に出願され、「METHOD FOR SENDING BUFFER STATUS REPORT AND USER EQUIPMENT」という名称の中国特許出願第201710459268.5号の優先権を主張するものであり、その全体は参照により本明細書に組み込まれる。
【０００２】
本出願は、通信技術の分野に関し、詳細には、バッファステータス報告を送信するための方法およびユーザ機器に関する。
【背景技術】
【０００３】
ロングタームエボリューション(Long Term Evolution、LTE)通信では、ユーザ機器(User Equipment、UE)がアップリンクスケジューリング要求(Scheduling Request、SR)を使用することによってネットワーク側デバイスにアップリンクリソースを要求すると、アップリンクスケジューリング要求は、UEがアップリンクデータを送信する必要があるかどうかのみを示し、UEが送信する必要があるアップリンクデータの量は示さない。UEは、UEのアップリンクバッファ(buffer)にあり、送信される必要があるデータの量をネットワーク側デバイスに通知するために、バッファステータス報告(Buffer Status Report、BSR)をネットワーク側デバイスに送信する必要があり、それによって、ネットワーク側デバイスがUEに割り振られるアップリンクリソースの量を決定するのに役立つ。
【０００４】
UEは、様々なサービスに基づいて大量の無線ベアラ(radio bearer)を確立し得る。各無線ベアラは、論理チャネル(Logical Channel、LC)に対応する。UEが各論理チャネル上で1つのBSRを報告する場合、これは、大量のシグナリングオーバーヘッドをもたらす。オーバーヘッドを回避するために、論理チャネルグループ(LC Group、LCG)の概念がLTE通信に導入されている。各論理チャネルは、UEの4つのLCGのうちのいずれかに属する。UEは、各論理チャネル上でBSRを報告する代わりに、LCGに基づいてBSRを報告する。
【０００５】
LTE通信では、BSRには2つの形式がある。
【０００６】
(1)ショートBSR(Short BSR)または短縮BSR(Truncated BSR)は、1つのLCGのアップリンクバッファ量を報告するために使用される。BSRは、1バイトを占有し、2ビットを占有するLCG識別情報(identity、ID)と、6ビットを占有するLCGバッファインデックス(バッファサイズ(Buffer Size)とも呼ばれる)とを含む。バッファインデックスは、LCGのアップリンクバッファ量を示すために使用される。
【０００７】
(2)ロングBSR(Long BSR)は、4つのLCGすべてのアップリンクバッファ量を報告するために使用される。ロングBSRはLCG IDを含む必要はなく、LCG ID 0からLCG ID 3までについて6ビットのバッファインデックスがそれぞれコード化される。第1のバッファインデックスは、LCG ID 0のアップリンクバッファ量を示すために使用され、第2のバッファインデックスは、LCG ID 1のアップリンクバッファ量を示すために使用される、など以下同様である。
【０００８】
UEのサービス量が増加すると、UEは、より多くの無線ベアラを確立し、UEは、より多くのLCを使用し得る。したがって、より多くのLCGが必要である。しかしながら、従来技術におけるBSRは、4つのLCGがUEのために構成されるときのバッファ報告にのみ適用可能であり、より多くのLCGがUEのために構成されるとき、バッファ報告要件を満たすことができない。
【発明の概要】
【課題を解決するための手段】
【０００９】
本出願は、4つを超えるLCGがUEのために構成されているときに、BSRがバッファ報告要件を満たすことができないという従来の問題を解決するために、バッファステータス報告を送信するための方法およびユーザ機器を提供する。
【００１０】
第1の態様によれば、本出願は、バッファステータス報告BSRを送信するための方法を提供し、方法は、ユーザ機器UEによってBSRを生成するステップであり、8つのLCGがUEのために構成され、BSRは、8つのLCGのうちの少なくとも1つのバッファインデックスを含み、LCGのバッファインデックスは、LCGのアップリンクバッファ量を示し、LCGのアップリンクバッファ量は、LCGに含まれるすべてのLCのアップリンクバッファ量の合計であり、BSRはXバイトを占有し、1つのLCGのバッファインデックスはNビットを占有し、Xは1から17に及ぶ整数であり、Nは5から16に及ぶ整数であり、Xが1であり、Nが6である場合は存在しない、ステップと、UEによって、生成されたBSRをネットワーク側デバイスに送信するステップとを含む。
【００１１】
上記の技術的解決策では、BSRは、UEのために構成された8つのLCGのうちの1つのバッファインデックスを含み得、BSRは、ネットワーク側デバイスがLCGのアップリンクバッファを送信するためのアップリンクリソースをUEに割り振ることを可能にするために、ネットワーク側デバイスに報告される。代替的に、BSRは、UEのために構成された8つのLCG内の複数のLCGのバッファインデックスを含み得、BSRは、ネットワーク側デバイスが複数のLCGの各々のアップリンクバッファを送信するためのアップリンクリソースをUEに割り振ることを可能にするために、ネットワーク側デバイスに報告される。代替的に、BSRは、UEのために構成された8つのLCGの各々のバッファインデックスを含み得、BSRは、ネットワーク側デバイスが8つのLCGの各々のアップリンクバッファを送信するためのアップリンクリソースをUEに割り振ることを可能にするために、ネットワーク側デバイスに報告される。上記の技術的解決策によると、4つを超えるLCGがUEのために構成されているとき、BSRがバッファ報告要件を満たすことができないという従来の問題が解決される。
【００１２】
オプションの設計では、第1の態様を参照して、第1の態様の第1の可能な実装形態では、BSRは、8つのLCGのうちの1つのアップリンクバッファ量を示すために使用され、BSRは、LCG識別IDをさらに含み、LCG IDは3ビットを占有し、Xは1または2であり、Nは5から13に及ぶ整数である。
【００１３】
オプションの設計では、第1の態様の第1の可能な実装形態を参照して、第1の態様の第2の可能な実装形態では、Xは1に等しく、Nは5に等しい。この実装形態では、BSRは、1バイトしか占有しておらず、したがって、BSRの送信に使用されるアップリンクリソースを節約することができ、送信時間を短縮することができる。
【００１４】
随意に、第1の態様の第1の可能な実装形態を参照して、第1の態様の第3の可能な実装形態では、Xは2に等しく、Nは6から13に及ぶ整数である。この実装形態では、LCG IDを使用してUEのために構成された8つのLCGを確実に区別できるようにするために、LCG IDは3ビットとして構成される。LCGのバッファインデックスは、6ビット以上として構成されており、したがって、各バッファインデックスは比較的小さいアップリンクバッファ範囲を示し、ネットワーク側デバイスによってUEに割り振られたアップリンクリソースの精度が向上する。
【００１５】
随意に、第1の態様の第3の可能な実装形態を参照して、第1の態様の第4の可能な実装形態では、Nが13未満であるとき、LCG IDおよびバッファインデックスを除くBSR内の(13-N)ビットは、予約ビットまたはパディングビットとして構成される。予約ビットによって運ばれる情報は、BSRのスケーラビリティを高めるために、実際の要件に基づいて構成され得る。
【００１６】
随意に、第1の態様を参照して、第1の態様の第5の可能な実装形態では、BSRは、8つのLCGのアップリンクバッファ量を示すために使用され、BSRは、8つのLCGの各々のバッファインデックスを含み、Nは5から13に及ぶ整数であり、XはNに等しい。この実装形態では、BSRは、8つのLCGのバッファインデックスを運び得、UEのすべてのLCGのアップリンクバッファ量は、1つのBSRを使用することによって報告される。したがって、ネットワーク側デバイスは、BSRに基づいてUEのすべての送信されるアップリンクデータにアップリンクリソースを割り振ることができ、これは非常に効率的である。
【００１７】
随意に、第1の態様を参照して、第1の態様の第6の可能な実装形態では、BSRの第1のバイトの8ビットは、8つのLCGと1対1に対応しており、第1のバイトの各ビットは、対応するLCGがアップリンクバッファを有するかどうかを示すために使用され、BSRは、8つのLCG内のアップリンクバッファを有するK個のLCGの各々のバッファインデックスを含み、Kは正の整数である。
【００１８】
この実装形態では、BSRは、第1のバイトを使用して、8つのLCG内のアップリンクバッファを有するすべてのLCGを示し、BSRは、アップリンクバッファを有するすべてのLCGのバッファインデックスを運ぶ。ネットワーク側デバイスは、BSRに基づいて、アップリンクバッファを有するLCG、およびアップリンクバッファを有するLCGの各々のアップリンクバッファ量を決定し、さらに、対応するアップリンクリソースをUEに割り振り得る。BSRは、複数のLCGのバッファインデックスを運び得るが、アップリンクバッファを有さないLCGのバッファインデックスは運ばない。したがって、BSRが不要な情報(アップリンクバッファを有さないLCGのバッファインデックス)を運び、過度に長くなる場合が回避される。さらに、LCGの報告されたアップリンクバッファ量の完全性とBSR伝送効率の両方が保証される。
【００１９】
随意に、第1の態様の第6の可能な実装形態を参照して、第1の態様の第7の可能な実装形態では、K個のLCGに対応するK個のバッファインデックスは、BSRの第2のバイトから構成され、K個のバッファインデックスのシーケンスは、K個のLCGに対応する第1のバイト内のビットのシーケンスに一致する。この実装形態では、バッファインデックスごとに3ビットLCG IDを構成する必要がなく、したがって、BSRの長さを短くすることができ、BSRを送信するための帯域幅を減らすことができ、BSRの送信時間を短縮することができる。
【００２０】
随意に、第1の態様の第6または第7の可能な実装形態を参照して、第1の態様の第8の可能な実装形態では、BSR内のK個のバッファインデックスの後にパディングビットがさらに構成される。
【００２１】
随意に、第1の態様、第1の態様の第1および第2の可能な実装形態、ならびに第1の態様の第5から第8の可能な実装形態のうちのいずれか1つを参照して、第1の態様の第9の可能な実装形態では、Nが5に等しいとき、LCGのバッファインデックスによって示されるアップリンクバッファ量は、Si=S2iLTE∪S2i+1LTEを満たし、iはバッファインデックスの値であり、iは0から31に及ぶ整数であり、Siは、バッファインデックスの値がiのときに示されるアップリンクバッファ量を示し、SjLTEは、ロングタームエボリューションLTEプロトコルで定義されたバッファインデックスの値がjのときに示されるアップリンクバッファ量を示し、jは0から63に及ぶ整数であり、∪は和集合演算子である。この実装形態では、本出願での解決策の互換性を向上させるために、既存のLTEプロトコルでバッファインデックスによって示されるアップリンクバッファ量に基づいて、本出願においてバッファインデックスによって示されるアップリンクバッファ量が設定される。
【００２２】
第2の態様によれば、本出願はユーザ機器を提供し、ユーザ機器は、第1の態様または第1の態様の任意の可能な実装形態による方法を実行するように構成される。詳細には、ユーザ機器は、第1の態様または第1の態様の任意の可能な実装形態の方法を実行するように構成されたモジュールを含む。
【００２３】
第2の態様の第1の可能な実装形態では、ユーザ機器は、生成モジュールと送信モジュールとを含む。生成モジュールは、BSRを生成するように構成され、8つの論理チャネルグループLCGがUEのために構成され、BSRは、8つのLCGのうちの少なくとも1つのバッファインデックスを含み、LCGのバッファインデックスは、LCGのアップリンクバッファ量を示し、BSRはXバイトを占有し、1つのLCGのバッファインデックスはNビットを占有し、Xは1から17に及ぶ整数であり、Nは5から16に及ぶ整数であり、Xが1であり、Nが6である場合は存在しない。送信モジュールは、BSRをネットワーク側デバイスに送信するように構成される。
【００２４】
第3の態様によれば、本出願はユーザ機器を提供し、ユーザ機器は、第1の態様または第1の態様の任意の可能な実装形態による方法を実行するように構成される。詳細には、ユーザ機器は、プロセッサ、メモリ、およびトランシーバを含む。プロセッサは、バスを使用することによってメモリおよびトランシーバと通信し得る。メモリは、コンピュータ命令を記憶する。プロセッサがコンピュータ命令を実行すると、プロセッサは、第1の態様または第1の態様の任意の可能な実装形態の方法に従って生成されるBSRを生成する。トランシーバは、プロセッサによって生成されたBSRをネットワーク側デバイスに送信するように構成される。
【００２５】
第4の態様によれば、本出願は、コンピュータ可読記憶媒体をさらに提供する。可読記憶媒体は、コンピュータ命令を記憶する。命令がコンピュータ上で実行されると、コンピュータは、第1の態様または第1の態様の任意の可能な実装形態で方法を実行する。
【００２６】
第5の態様によれば、本出願は、コンピュータプログラム製品を提供する。コンピュータプログラム製品がコンピュータ上で実行されると、コンピュータは、第1の態様または第1の態様の任意の可能な実装形態で方法を実行する。
【００２７】
本出願では、上記の態様で提供される実装形態に基づいて、実装形態をさらに組み合わせて、より多くの実装形態を提供することができる。
【図面の簡単な説明】
【００２８】
【図１】UEによるBSRの送信の概略フローチャートである。
【図２ａ】従来技術におけるショートBSRまたは短縮BSRの概略図である。
【図２ｂ】従来技術におけるロングBSRの概略図である。
【図３】本出願の一実施形態による、UEによるBSRの生成の概略フローチャートである。
【図４ａ】本出願の一実施形態によるタイプ1のBSRの概略図である。
【図４ｂ】本出願の一実施形態によるタイプ1のBSRの概略図である。
【図４ｃ】本出願の一実施形態によるタイプ1のBSRの概略図である。
【図４ｄ】本出願の一実施形態によるタイプ1のBSRの概略図である。
【図５ａ】本出願の一実施形態による、タイプ2のBSRの概略図である。
【図５ｂ】本出願の一実施形態による、タイプ2のBSRの概略図である。
【図６ａ】本出願の一実施形態による、タイプ3のBSRの第1のバイトの概略図である。
【図６ｂ】本出願の一実施形態による、タイプ3のBSRの概略図である。
【図７】本出願の一実施形態による、ユーザ機器300の概略図である。
【図８】本出願の一実施形態による、ユーザ機器400の概略図である。
【発明を実施するための形態】
【００２９】
本出願の目的、技術的解決策、および利点をより明確にするために、以下は、添付の図面を参照して本出願をさらに詳細に説明する。
【００３０】
本出願は、4つを超えるLCGがUEのために構成されているとき、BSRがバッファ報告要件を満たすことができないという従来の問題を解決するために、バッファステータス報告を送信するための方法およびユーザ機器を提供する。この方法および装置は、同じ発明概念に基づいている。この方法の問題解決の原理は、装置のものと類似しているので、装置の実装と方法の実装との間で相互参照が行われ得る。説明は反復されない。
【００３１】
本出願で言及される「複数の」は、「2つ以上」を意味する。さらに、本出願の説明において、「第1」および「第2」などの単語は、単に区別および説明のために使用され、相対的重要性の指示もしくは含意または順序の指示もしくは含意と理解されないものとする。
【００３２】
本出願の実施形態は、第5世代モバイル通信(fifth-generation mobile communications、5G)システム、たとえば5Gの無線アクセス(New Radio、NR)ネットワークに適用されてもよく、または、たとえば、ロングタームエボリューション(Long Term Evolution、LTE)システムもしくは新しいネットワークデバイスシステムなど、別のワイヤレス通信システムに適用されてもよい。
【００３３】
本出願の実施形態で言及されるユーザ機器UEは、音声および/もしくはデータ接続性をユーザに提供するデバイス、無線接続機能を有するハンドヘルドデバイス、または無線モデムに接続された別の処理デバイスとすることができる。ワイヤレスユーザ機器は、無線アクセスネットワーク(Radio Access Network、RAN)を介して1つまたは複数のコアネットワークと通信し得る。ワイヤレスユーザ機器は、携帯電話(「セルラー」電話とも呼ばれる)などのモバイル端末、またはモバイル端末を備えたコンピュータであり得る。たとえば、ワイヤレスユーザ機器は、無線アクセスネットワークと音声および/もしくはデータを交換するポータブル、ポケットサイズ、ハンドヘルド、コンピュータ内蔵、または車載モバイル装置であってもよい。たとえば、ワイヤレスユーザ機器は、パーソナル通信サービス(Personal Communications Service、PCS)電話、コードレス電話セット、セッション開始プロトコル(SIP)電話、ワイヤレスローカルループ(Wireless Local Loop、WLL)局、または携帯情報端末(Personal Digital Assistant、PDA)などのデバイスであってもよい。ワイヤレスユーザ機器は、システム、加入者ユニット(Subscriber Unit)、加入者局(Subscriber Station)、移動局(Mobile Station)、モバイル(Mobile)、リモート局(Remote Station)、アクセスポイント(Access Point)、リモート端末(Remote Terminal)、アクセス端末(Access Terminal)、ユーザ端末(User Terminal)、ユーザエージェント(User Agent)、またはユーザデバイス(User Device)とも呼ばれ得る。
【００３４】
本発明の実施形態で言及されるネットワーク側デバイスの場合、ネットワーク側デバイスは基地局であってもよい。基地局は、受信されたオーバージエアフレームとIPパケットとの間の変換を実行し、ワイヤレス端末デバイスとアクセスネットワークの残りの部分との間のルータとして働くように構成されてもよい。アクセスネットワークの残りの部分は、インターネットプロトコル(Internet Protocol、IP)ネットワーク側デバイスを含み得る。基地局は、エアインターフェースの属性管理をさらに調整し得る。たとえば、基地局は、NRネットワークの次世代ノードB(Next generation NodeB、gNB)でもよく、LTEでの発展型ノードB(evolutional NodeB、eNBまたはe-NodeB)でもよい。これは、本出願の実施形態では限定されない。
【００３５】
以下では、まず、UEがBSRをネットワーク側デバイスに送信する手順について説明する。図1を参照すると、手順は、以下のステップを含む。
【００３６】
ステップ101:UEは、アップリンクスケジューリング要求SRをネットワーク側デバイスに送信し、アップリンクSRは、UEが送信されるべきアップリンクデータを有するかどうかをネットワーク側デバイスに通知するために使用される。
【００３７】
ステップ102:ネットワーク側デバイスは、アップリンクリソースをUEに割り振るために、アップリンクスケジューリング許可(Up Link grant、UL grant)をUEに送信し、アップリンクリソースの量は、ネットワーク側デバイスの特定の実装形態に依存し、ネットワーク側デバイスは、通常、BSRを送信するのに十分なアップリンクリソースをUEに割り振る。
【００３８】
ステップ103:UEは、BSRをネットワーク側デバイスに送信する。
【００３９】
ステップ104:ネットワーク側デバイスは、UEによって送信されたBSRに基づいて、UEに割り振られるアップリンクリソースの量を決定し、対応するUL許可をUEに送信する。
【００４０】
上記の手順は、本出願の実施形態で提供される解決策の理解を容易にするために説明されている。本出願の実施形態で提供される解決策の実際の適用では、UEがBSRをネットワーク側デバイスに送信する手順は、上記の手順とは異なる場合があることに留意されたい。
【００４１】
図2aは、従来技術におけるLTEで定義されたショートBSRまたは短縮BSRの概略図である。ショートBSRおよび短縮BSRの場合、LCG IDは2ビットを占有する。LCG IDの値は、0から3に及ぶ。LCG IDの各値は、UEのために構成された4つのLCGのうちの1つに対応する。図2aに示されるBSRのLCG IDは、4つのLCGのみを区別するために使用することができる。したがって、4つを超えるLCGがUEのために構成されているとき、ショートBSRまたは短縮BSRを使用し続けることはできない。
【００４２】
図2bは、従来技術におけるLTEで定義されたロングBSRの概略図である。4つのLCGのバッファインデックス(バッファインデックス#0からバッファインデックス#3)は、ロングBSRで順次符号化される。各バッファインデックスは、6バイトを占有する。同様に、4つを超えるLCGがUEのために構成されているとき、ロングBSRを使用し続けることはできない。
【００４３】
以下は、本出願の実施形態で提供されるBSRを送信するための方法を説明する。図3を参照すると、方法は、以下のステップを含む。
【００４４】
ステップ201:UEはBSRを生成し、8つのLCGがUEのために構成され、BSRは、8つのLCGのうちの少なくとも1つのバッファインデックスを含み、LCGのバッファインデックスは、LCGのアップリンクバッファ量を示し、LCGのアップリンクバッファ量は、LCGに含まれるすべてのLCのアップリンクバッファ量の合計である。BSRは、Xバイトを占有する。1つのLCGのバッファインデックスは、Nビットを占有する。Xは、1から17に及ぶ整数であり、Nは、5から16に及ぶ整数である。Xが1であり、Nが6である場合は存在しない。
【００４５】
詳細には、UEによって確立された各無線ベアラは、1つのLCに対応し、各LCは、8つのLCGのうちの1つに属し、各LCGは、1つまたは複数のLCを含み得る。LCの場合、LCが属するLCGは、LCが確立されるときに構成され、たとえば、情報要素:論理チャネル構成(Information Element: Logical Channel Config)の論理チャネルグループ(logical channel group)フィールドに基づいて設定される。
【００４６】
ステップ202:UEは、生成されたBSRをネットワーク側デバイスに送信する。BSRは、媒体アクセス制御(Media Access Control、MAC)層プロトコルデータユニット(Protocol Data Unit、PDU)の一部として使用されてもよい。BSRは、UEによって送信されたMAC層PDUを使用することによって、ネットワーク側デバイスに送信される。
【００４７】
上記の技術的解決策では、BSRは、UEのために構成された8つのLCGのうちの1つのバッファインデックスを含み得、BSRは、ネットワーク側デバイスがLCGのアップリンクバッファを送信するためのアップリンクリソースをUEに割り振ることを可能にするために、ネットワーク側デバイスに報告される。代替的に、BSRは、UEのために構成された8つのLCG内の複数のLCGのバッファインデックスを含み得、BSRは、ネットワーク側デバイスが複数のLCGの各々のアップリンクバッファを送信するためのアップリンクリソースをUEに割り振ることを可能にするために、ネットワーク側デバイスに報告される。代替的に、BSRは、UEのために構成された8つのLCGの各々のバッファインデックスを含み得、BSRは、ネットワーク側デバイスが8つのLCGの各々のアップリンクバッファを送信するためのアップリンクリソースをUEに割り振ることを可能にするために、ネットワーク側デバイスに報告される。上記の技術的解決策によると、4つを超えるLCGがUEのために構成されているとき、BSRがバッファ報告要件を満たすことができないという従来の問題が解決される。
【００４８】
本出願のこの実施形態では、BSRは、それぞれ以下に説明される複数の実装を有してもよい。
【００４９】
1.タイプ1のBSR
【００５０】
図2aで定義されたショートBSRまたは短縮BSRのように、タイプ1のBSRを使用して、UEのために構成された8つのLCGのうちの1つのアップリンクバッファ量を報告する。タイプ1のBSRでは、LCG IDは、3ビットを占有し、LCG IDの値は、0から7に及ぶ。各値は、8つのLCGのうちの1つに対応する。たとえば、LCG ID 0は、8つのLCGのうちの第1のLCGを表し、LCG ID 1は、8つのLCGのうちの第2のLCGを表し、以下同様である。
【００５１】
図4aは、タイプ1のBSRの可能な実装形態を示す。BSRは、1バイトを占有する。LCG IDは、最初の3ビットを占有し、LCGのバッファインデックスは、次の5ビットを占有する。いくつかの実施形態では、代替的に、LCG IDは、最後の3ビットを占有してもよく、LCGのバッファインデックスは、最初の5ビットを占有する。この実装形態では、BSRは、1バイトしか占有しておらず、したがって、BSRの送信に使用されるアップリンクリソースを節約することができ、送信時間を短縮することができる。
【００５２】
図4bは、タイプ1のBSRの別の可能な実装形態を示す。BSRは、2バイトを占有する。LCG IDは、3ビットを占有する。LCG IDは、BSRの第1のバイトの最初の3ビットにあってもよい。いくつかの実施形態では、代替的に、LCG IDは別の場所にあってもよい。たとえば、第1のバイトの第1のビットは予約ビットであり、LCG IDは、第1のバイトの第2のビットから第4のビットまでを占有する。別の例では、LCG IDは、第2のバイトの最後の3ビットを占有し、以下同様である。BSR内のLCGのバッファインデックスは、Nビットを占有し、Nは、6から13に及ぶ。
【００５３】
LCGのバッファインデックスは、LCGのアップリンクバッファ量を示す。アップリンクバッファ量は、バッファ範囲であり得る。Table 1(表1)は、バッファインデックスとバッファ範囲との間のマッピングのテーブルの概略図である。表では、aとbは両方とも正の数であり、aはb未満である。
【００５４】
【表１】
2020523945.tif 000003
【００５５】
ネットワーク側デバイスは、BSRを受信した後、BSRからバッファインデックスを取得し、Table 1(表1)に示されるマッピングテーブルに基づいてUEのLCGのバッファ範囲を決定し、バッファ範囲に基づいて、アップリンクリソースをUEに割り振る。バッファインデックスの値範囲が大きい場合、各バッファインデックスに対応するバッファ範囲が小さくなり、ネットワーク側デバイスは、UEのLCGの実際のアップリンクバッファサイズをより正確に推定することができ、さらに、アップリンクリソースをUEにより正確に割り振り、アップリンクリソースの浪費を回避することがわかり得る。図4bから図4dに示す技術的解決策では、LCG IDは、LCG IDを使用してUEのために構成された8つのLCGを確実に区別できるようにするために、3ビットとして構成される。LCGのバッファインデックスは、6ビット以上として構成されており、したがって、各バッファインデックスは比較的小さいアップリンクバッファ範囲を示し、ネットワーク側デバイスによってUEに割り振られたアップリンクリソースの精度が向上する。
【００５６】
図4bに示されるBSRでは、N=13であり、BSRは、LCG IDおよびLCGのバッファインデックスの2つの部分で構成される。図4cおよび図4dに示されるBSRでは、Nは13未満であり、LCG IDおよびLCGのバッファインデックスによって占有されるビットを除くBSR内のビットは、予約ビットまたはパディングビットとして構成され得る。予約ビットまたはパディングビットは、BSRの末尾に配置されてもよく、LCG IDとバッファインデックスとの間に配置されてもよい。予約ビットによって運ばれる情報は、BSRのスケーラビリティを高めるために、実際の要件に基づいて構成することができる。
【００５７】
2.タイプ2のBSR
【００５８】
タイプ2のBSRは、UEのために構成された8つのLCGのアップリンクバッファ量を報告するために使用される。詳細には、合計8つのLCGがUEのために構成され、タイプ2のBSRがすべてのLCGのアップリンクバッファ量を運ぶので、タイプ2のBSRは、LCG IDを含まず、8つのLCGについてバッファインデックスがそれぞれコード化され得る。各バッファインデックスは、Nビットを占有し、Nは、5から13に及ぶ整数である。タイプ2のBSRによって占有されるすべてのバイトの量Xは、Nに等しい。
【００５９】
たとえば、図5aを参照すると、図5aは、Nが5のときのタイプ2のBSRの概略図である。LCG ID 0からLCG ID 7について、バッファインデックスがBSRにおいてそれぞれコード化される。別の例では、図5bを参照すると、図5bは、Nが6のときのタイプ2のBSRの概略図である。図5aおよび図5bにおいて、バッファインデックス#Sは、LCG ID Sのバッファインデックスを示し、Sは、0から7に及ぶ。
【００６０】
上記の技術的解決策では、BSRは、8つのLCGのバッファインデックスを運び得、UEのすべてのLCGのアップリンクバッファ量は、1つのBSRを使用することによって報告される。したがって、ネットワーク側デバイスは、BSRに基づいてUEのすべての送信されるアップリンクデータにアップリンクリソースを割り振ることができ、これは非常に効率的である。
【００６１】
3.タイプ3のBSR
【００６２】
タイプ3のBSRは、UEのために構成された8つのLCGのうちの1つまたは複数のアップリンクバッファ量を報告するために使用される。図6aを参照すると、BSRの第1のバイトの8ビットは、8つのLCGと1対1に対応しており、第1のバイトの各ビットは、対応するLCGがアップリンクバッファを有するかどうかを示すために使用される。たとえば、ビットの値が0であるとき、そのビットに対応するLCGがアップリンクバッファを有していないことを示し、逆に、ビットの値が1であるとき、そのビットに対応するLCGがアップリンクバッファを有することを示す。本出願のこの実施形態では、タイプ3のBSRの第1のバイトは、バッファインジケータ(Buffer Indicator、BI)バイトと呼ばれることもあり、第1のバイトの各ビットは、BIビットと呼ばれることもある。タイプ3のBSRは、アップリンクバッファを有するK個のLCGのバッファインデックスのみを運び、Kは、正の整数である。
【００６３】
図6bを参照すると、BSRの第1のバイト内の第1、第3、第4、第7、および第8ビットの値は1である。BSRは、それぞれLCG ID 0、LCG ID 2、LCG ID 3、LCG ID 6、およびLCG ID 7のバッファインデックスの5つのバッファインデックスを運ぶ。
【００６４】
図6bでは、各バッファインデックスは、6ビットを占有する。代替的に、1つのBSR内のすべてのバッファインデックスの長さが一定である場合、各バッファインデックスは、5ビットから16ビットまでの任意の長さを占有することができる。
【００６５】
上記の技術解決策では、BSRは、第1のバイトを使用して、8つのLCG内のアップリンクバッファを有するすべてのLCGを示し、BSRは、アップリンクバッファを有するすべてのLCGのバッファインデックスを運ぶ。ネットワーク側デバイスは、BSRに基づいて、アップリンクバッファを有するLCG、およびアップリンクバッファを有するLCGの各々のアップリンクバッファ量を決定し、さらに、対応するアップリンクリソースをUEに割り振り得る。BSRは、複数のLCGのバッファインデックスを運び得るが、アップリンクバッファを有さないLCGのバッファインデックスは運ばない。したがって、BSRが不要な情報(アップリンクバッファを有さないLCGのバッファインデックス)を運び、過度に長くなる場合が回避される。さらに、LCGの報告されたアップリンクバッファ量の完全性とBSR伝送効率の両方が保証される。
【００６６】
図6bを参照すると、K個のLCGに対応するK個のバッファインデックスは、タイプ3のBSRの第2のバイトから構成され得、K個のバッファインデックスのシーケンスは、K個のLCGに対応する第1のバイト内のビットのシーケンスに一致する。たとえば、LCG ID 0に対応するバッファインデックスが最初にコード化され、次いで、LCG ID 2に対応するバッファインデックスがコード化され、以下同様である。ネットワーク側デバイスは、BSRを受信した後、バッファインデックスの長さ:Nビットに基づいて、第2のバイトから第1のバッファインデックスを決定し、第1のバッファインデックスが、BSRの第1のバイト内の値が1である第1のビットに対応するLCGのバッファインデックスであると決定し、次いで、第1のバッファインデックスの後の第2のバッファインデックスを決定し、第2のバッファインデックスが、BSRの第1のバイト内の値が1である第2のビットに対応するLCGのバッファインデックスであると決定し、以下同様である。上記の技術的解決策では、バッファインデックスごとに3ビットLCG IDを構成する必要がなく、したがって、BSRの長さを短くすることができ、BSRを送信するための帯域幅を減らすことができ、BSRの送信時間を短縮することができる。
【００６７】
図6bを参照すると、タイプ3のBSRで運ばれる最後のバッファインデックスがバイト全体を完全に占有しないとき、後続のビットは、パディングビットまたは予約ビットとして構成され得る。これらのビットがパディングビットとして構成されているとき、これらのビットはすべて、0または1として構成され得る。
【００６８】
随意に、上記のすべての可能な解決策では、バッファインデックスによって占有されるビットの量Nが6に等しいとき、バッファインデックスの値範囲は0から63である。各値は、アップリンクバッファ量に対応する。アップリンクバッファ量は、バッファ範囲であり得る。バッファインデックスと既存のLTEプロトコルで定義されているアップリンクバッファ範囲との間の対応は、本出願の実施形態における解決策の互換性を高めるために、バッファ範囲に引き続き使用されてもよい。
【００６９】
随意に、本出願のこの実施形態では、LCGのバッファインデックスが5ビットを占有するとき、バッファインデックスの値範囲は、0から31までである。各値は、1つのアップリンクバッファ量に対応する。アップリンクバッファ量は、バッファ範囲であり得る。バッファ範囲は、Si=S2iLTE∪S2i+1LTEによって示すことができ、iはバッファインデックスの値であり、iは0から31に及ぶ整数であり、Siはバッファインデックスの値がiのときに示されるバッファ量を示し、SjLTEはLTEプロトコルで定義されているバッファインデックスの値がjのときに示されるアップリンクバッファ量を示し、jは0から63に及ぶ整数であり、記号「∪」は和集合演算子である。たとえば、S0=S0LTE∪S1LTEは、N=5のとき、LCGのバッファインデックスの値が0である場合、LCGのバッファ範囲は、LTEでバッファインデックスの値が0のときに取得されるバッファ範囲、およびLTEでバッファインデックスの値が1のときに取得されるバッファ範囲の和集合であることを示す。
【００７０】
上記の3つのタイプのBSRは、個別に実装されてもよいことに留意されたい。具体的に言えば、UEがネットワーク側デバイスにアップリンクバッファ量を報告するとき、UEは、タイプ1のBSRのみ、タイプ2のBSRのみ、またはタイプ3のBSRのみを送信する。いくつかの実施形態では、上記の3つのタイプのBSRのうちの任意の2つを組み合わせて実装してもよい。たとえば、1つのみのLCGがアップリンクバッファを有するとき、UEは、タイプ1のBSRを送信し、複数のLCGがアップリンクバッファを有するとき、UEは、タイプ2のBSRを送信する。別の例では、1つのみのLCGがアップリンクバッファを有するとき、UEは、タイプ1のBSRを送信し、複数のLCGがアップリンクバッファを有するとき、UEは、タイプ3のBSRを送信する。別の例では、すべてのLCGがアップリンクバッファを有するとき、UEは、タイプ2のBSRを送信し、そうでない場合、UEは、タイプ3のBSRを送信する。別の実施形態では、上記の3つのタイプのBSRを組み合わせて実装してもよい。たとえば、1つのみのLCGがアップリンクバッファを有するとき、UEはタイプ1のBSRを送信し、すべてのLCGがアップリンクバッファを有するとき、UEは、タイプ2のBSRを送信し、上記の2つの場合以外の場合、UEは、タイプ3のBSRを送信する。随意に、3つのタイプのBSRのうち2つまたは3つを組み合わせて実装するとき、1つのバッファインデックスが占有するビットの量は、異なるタイプのBSRに一致する。
【００７１】
さらに、UEのために8つ以上のLCGが構成されているときでも、本出願の実施形態の概念を適用することができる。たとえば、16個のLCGがあるとき、LCG IDが4ビットを占有するタイプ1のBSRで構成される。タイプ3のBSRの最初の2バイト内の各ビットは、UEの1つのLCGに対応する。このビットは、対応するLCGがアップリンクバッファを有するかどうかを示すために使用される。BSRは、アップリンクバッファを有するLCGのバッファインデックスのみを運ぶ。
【００７２】
図7は、本出願の一実施形態による、ユーザ機器300の概略図である。ユーザ機器300は、生成モジュール31および送信モジュール32を含む。
【００７３】
生成モジュール31は、BSRを生成するように構成され、8つの論理チャネルグループLCGがUEのために構成され、BSRは、8つのLCGのうちの少なくとも1つのバッファインデックスを含み、LCGのバッファインデックスは、LCGのアップリンクバッファ量を示し、BSRはXバイトを占有し、1つのLCGのバッファインデックスはNビットを占有し、Xは1から17に及ぶ整数であり、Nは5から16に及ぶ整数であり、Xが1であり、Nが6である場合は存在しない。
【００７４】
送信モジュール32は、BSRをネットワーク側デバイスに送信するように構成される。
【００７５】
本出願のこの実施形態におけるモジュール分割は一例であり、単に論理的な機能分割であり、実際の実装中の他の分割であってもよい。さらに、本出願のこの実施形態における機能モジュールは、1つのプロセッサに統合されていてもよく、または物理的に単独で存在していてもよく、あるいは2つ以上のモジュールが1つのモジュールに統合されていてもよい。上記の統合モジュールは、ハードウェアの形で実装されてもよく、またはソフトウェア機能モジュールの形で実装されてもよい。ソフトウェア機能モジュールは、図3から図6bにおけるBSRを送信するための方法のステップを実行するように構成される。
【００７６】
図8は、本出願の一実施形態による、ユーザ機器400の概略図である。ユーザ機器400は、メモリ41、トランシーバ42、およびプロセッサ43を含む。プロセッサ43は、バスを使用することによってメモリ41およびトランシーバ42と通信し得る。
【００７７】
メモリ41は、コンピュータ命令を記憶する。プロセッサ43がコンピュータ命令を実行すると、
プロセッサはBSRを生成し、8つの論理チャネルグループLCGがUEのために構成され、BSRは、8つのLCGのうちの少なくとも1つのバッファインデックスを含み、LCGのバッファインデックスは、LCGのアップリンクバッファ量を示し、BSRはXバイトを占有し、1つのLCGのバッファインデックスはNビットを占有し、Xは1から17に及ぶ整数であり、Nは5から16に及ぶ整数であり、Xが1であり、Nが6である場合は存在しない。
【００７８】
トランシーバ42は、プロセッサによって生成されたBSRをネットワーク側デバイスに送信するように構成される。
【００７９】
プロセッサ43は、1つの処理要素であってもよく、または複数の処理要素の一般的な用語であってもよいことに留意されたい。たとえば、プロセッサ43は、中央処理ユニット(Central Processing Unit、CPU)、特定用途向け集積回路(Application-Specific Integrated Circuit、ASIC)、または本発明のこの実施形態を実装するように構成された1つもしくは複数の集積回路、たとえば、1つもしくは複数のマイクロプロセッサ(Digital Signal Processor、DSP)、または1つもしくは複数のフィールドプログラマブルゲートアレイ(Field Programmable Gate Array、FPGA)であり得る。メモリ41は、1つの記憶素子もしくは複数の記憶素子の一般的な用語であり得、住宅用アクセスネットワークデバイスもしくは端末を実行するために必要な実行可能プログラムコード、またはパラメータ、データなどを記憶するように構成される。さらに、メモリ41は、ランダムアクセスメモリ(Random Access Memory、RAM)を含んでもよく、またはディスクメモリやフラッシュメモリ(Flash)などの不揮発性メモリ(Non-Volatile Memory、NVM)を含んでもよい。トランシーバ42は、別個のトランシーバおよびレシーバを含んでいてもよく、またはトランシーバとレシーバの統合であってもよい。
【００８０】
随意に、ユーザ機器300またはユーザ機器400の第1の可能な実装形態では、BSRは、8つのLCGのうちの1つのアップリンクバッファ量を示すために使用され、BSRは、LCG識別IDをさらに含み、LCG IDは3ビットを占有し、Xは1または2であり、Nは5から13に及ぶ整数である。
【００８１】
随意に、ユーザ機器300またはユーザ機器400の第1の可能な実装形態を参照して、ユーザ機器300またはユーザ機器400の第2の可能な実装形態では、Xは1に等しく、Nは5に等しい。
【００８２】
随意に、ユーザ機器300またはユーザ機器400の第1の可能な実装形態を参照して、ユーザ機器300またはユーザ機器400の第3の可能な実装形態では、Xは2に等しく、Nは6から13に及ぶ整数である。
【００８３】
随意に、ユーザ機器300またはユーザ機器400の第3の可能な実装形態を参照して、ユーザ機器300またはユーザ機器400の第4の可能な実装形態では、Nが13未満であるとき、LCG IDおよびバッファインデックスを除くBSR内の(13-N)ビットは、予約ビットまたはパディングビットとして構成される。
【００８４】
随意に、ユーザ機器300またはユーザ機器400の第5の可能な実装形態では、BSRは、8つのLCGのアップリンクバッファ量を示すために使用され、BSRは、8つのLCGの各々のバッファインデックスを含み、Nは5から13に及ぶ整数であり、XはNに等しい。
【００８５】
随意に、ユーザ機器300またはユーザ機器400の第6の可能な実装形態では、BSRの第1のバイトの8ビットは、8つのLCGと1対1に対応しており、第1のバイトの各ビットは、対応するLCGがアップリンクバッファを有するかどうかを示すために使用され、BSRは、8つのLCG内のアップリンクバッファを有するK個のLCGの各々のバッファインデックスを含み、Kは正の整数である。
【００８６】
随意に、ユーザ機器300またはユーザ機器400の第6の可能な実装形態を参照して、ユーザ機器300またはユーザ機器400の第7の可能な実装形態では、K個のLCGに対応するK個のバッファインデックスは、BSRの第2のバイトから構成され、K個のバッファインデックスのシーケンスは、K個のLCGに対応する第1のバイト内のビットのシーケンスに一致する。
【００８７】
随意に、ユーザ機器300またはユーザ機器400の第6または第7の可能な実装形態を参照して、ユーザ機器300またはユーザ機器400の第8の可能な実装形態では、BSR内のK個のバッファインデックスの後にパディングビットがさらに構成される。
【００８８】
随意に、ユーザ機器300またはユーザ機器400のすべての可能な実装形態において、Nが5に等しいとき、LCGのバッファインデックスによって示されるアップリンクバッファ量は、Si=S2iLTE∪S2i+1LTEを満たし、iはバッファインデックスの値であり、iは0から31に及ぶ整数であり、Siは、バッファインデックスの値がiのときに示されるアップリンクバッファ量を示し、SjLTEは、ロングタームエボリューションLTEプロトコルで定義されたバッファインデックスの値がjのときに示されるアップリンクバッファ量を示し、jは0から63に及ぶ整数であり、∪は和集合演算子である。
【００８９】
ユーザ機器300およびユーザ機器400の実装形態については、図3から図6bにおけるBSRを送信するための方法の一実装形態を参照する。
【００９０】
本発明の実施形態は、コンピュータ可読記憶媒体をさらに提供する。コンピュータ可読記憶媒体は、コンピュータ命令を記憶する。命令がコンピュータ上で実行されると、コンピュータは、図3から図6bにおけるBSRを送信するための方法を実行する。
【００９１】
コンピュータ可読記憶媒体は、上記のプロセッサによって実行される必要があるコンピュータソフトウェア命令を記憶するように構成され、上記のプロセッサによって実行される必要があるプログラムを含む。
【００９２】
当業者であれば、本出願の実施形態が、方法、システム、またはコンピュータプログラム製品として提供され得ることを理解されたい。したがって、本出願は、ハードウェアのみの実施形態、ソフトウェアのみの実施形態、またはソフトウェアとハードウェアの組合せの実施形態の形を使用してもよい。さらに、本出願は、コンピュータ使用可能プログラムコードを含む1つまたは複数のコンピュータ使用可能記憶媒体(限定はしないが、ディスクメモリ、CD-ROM、光メモリなどを含む)上に実装されるコンピュータプログラム製品の形態を使用することができる。
【００９３】
本出願は、本出願に基づいて、方法、デバイス(システム)、ならびにコンピュータプログラム製品のフローチャートおよび/またはブロック図を参照して説明される。フローチャートおよび/またはブロック図内の各プロセスおよび/または各ブロック、ならびにフローチャートおよび/またはブロック図内のプロセスおよび/またはブロックの組合せを実装するためにコンピュータプログラム命令が使用され得ることを理解されたい。これらのコンピュータプログラム命令は、機械を生成するために、汎用コンピュータ、専用コンピュータ、組込みプロセッサ、または任意の他のプログラム可能データ処理デバイスのプロセッサに提供され得、したがって、コンピュータまたは任意の他のプログラム可能データ処理デバイスのプロセッサによって実行される命令は、フローチャート内の1つまたは複数のプロセスおよび/またはブロック図内の1つまたは複数のブロックにおいて特定の機能を実施するための装置を生成する。
【００９４】
コンピュータ可読メモリに記憶された命令が命令装置を含むアーティファクトを生成するように、特定の方法で動作するよう、コンピュータまたは任意の他のプログラム可能データ処理デバイスに命令することができるこれらのコンピュータプログラム命令が、コンピュータ可読メモリに記憶され得る。命令装置は、フローチャート内の1つもしくは複数のプロセス内および/またはブロック図内の1つもしくは複数のブロック内で特定の機能を実施する。
【００９５】
これらのコンピュータプログラム命令は、コンピュータまたは別のプログラム可能データ処理デバイスにロードすることができ、したがって、コンピュータまたは別のプログラム可能デバイス上で一連の動作およびステップが実行され、それによってコンピュータ実施処理が生成される。したがって、コンピュータまたは別のプログラム可能デバイス上で実行される命令は、フローチャート内の1つもしくは複数のプロセスおよび/またはブロック図内の1つもしくは複数のブロックにおいて特定の機能を実施するためのステップを提供する。
【００９６】
明らかに、当業者は、本出願の趣旨および範囲から逸脱することなく、本出願に様々な修正および変更を加えることができる。本出願は、以下の特許請求の範囲およびそれらの同等の技術によって定義される保護の範囲内にあるという条件で、本出願の修正および変更をカバーするものとする。
【符号の説明】
【００９７】
300  ユーザ機器
31  生成モジュール
32  送信モジュール
400  ユーザ機器
41  メモリ
42  トランシーバ
43  プロセッサ
【図１】
2020523945.tif 000004
【図２ａ】
2020523945.tif 000005
【図２ｂ】
2020523945.tif 000006
【図３】
2020523945.tif 000007
【図４ａ】
2020523945.tif 000008
【図４ｂ】
2020523945.tif 000009
【図４ｃ】
2020523945.tif 000010
【図４ｄ】
2020523945.tif 000011
【図５ａ】
2020523945.tif 000012
【図５ｂ】
2020523945.tif 000013
【図６ａ】
2020523945.tif 000014
【図６ｂ】
2020523945.tif 000015
【図７】
2020523945.tif 000016
【図８】
2020523945.tif 000017
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
バッファステータス報告BSRを送信するための方法であって、
ユーザ機器UEによって、前記BSRを生成するステップであり、8つの論理チャネルグループLCGが前記UEのために構成され、前記BSRは、前記8つのLCGのうちの少なくとも1つのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在しない、ステップと、
前記UEによって、前記BSRをネットワーク側デバイスに送信するステップと
を含む方法。
【請求項２】
バッファステータス報告BSRを送信するための方法であって、
ユーザ機器UEによって、前記BSRを生成するステップであり、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在しない、ステップと、
前記UEによって、前記BSRをネットワーク側デバイスに送信するステップと
を含む方法。
【請求項３】
バッファステータス報告BSRを受信するための方法であって、
ネットワーク側デバイスによって、前記BSRを受信するステップであり、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在しない、ステップ
を含む方法。
【請求項４】
前記BSRは、前記8つのLCGのうちの1つのアップリンクバッファ量を示すために使用され、前記BSRは、LCG識別IDをさらに含み、前記LCG IDは3ビットを占有し、Xは1または2であり、Nは5から13に及ぶ整数である、請求項1から3のいずれか一項に記載の方法。
【請求項５】
Xが1に等しく、Nが5に等しい、請求項4に記載の方法。
【請求項６】
Xが2に等しく、Nが6から13に及ぶ整数である、請求項4に記載の方法。
【請求項７】
Nが13未満であるとき、前記LCG IDおよび前記バッファインデックスを除く前記BSR内の(13-N)ビットは、予約ビットまたはパディングビットとして構成される、請求項6に記載の方法。
【請求項８】
前記BSRは、前記8つのLCGのアップリンクバッファ量を示すために使用され、前記BSRは、前記8つのLCGの各々のバッファインデックスを含み、Nは5から13に及ぶ整数であり、XはNに等しい、請求項1から3に記載の方法。
【請求項９】
前記BSRの第1のバイトの8ビットは、前記8つのLCGと1対1に対応しており、前記第1のバイトの各ビットは、対応するLCGがアップリンクバッファを有するかどうかを示すために使用される、請求項1から3のいずれか一項に記載の方法。
【請求項１０】
前記BSRは、前記8つのLCG内のアップリンクバッファを有するK個のLCGの各々のバッファインデックスを含み、Kは正の整数である、請求項9に記載の方法。
【請求項１１】
前記第1のバイト内のビットの値が0である場合、前記ビットに対応するLCGがアップリンクバッファを有していないことを示し、または、
前記第1のバイト内のビットの値が1である場合、前記ビットに対応するLCGがアップリンクバッファを有することを示す
請求項9または10に記載の方法。
【請求項１２】
前記BSRの第1のバイトの8ビットは、前記8つのLCGと1対1に対応しており、前記第1のバイトの各ビットは、前記BSRが対応するLCGのバッファインデックスを含むかどうかを示すために使用される、請求項1から3のいずれか一項に記載の方法。
【請求項１３】
前記BSRは、前記BSRが前記第1のバイト内にバッファインデックスを含むことを示すビットに対応するK個のLCGの前記バッファインデックスを含み、Kは正の整数である、請求項12に記載の方法。
【請求項１４】
前記第1のバイト内のビットの値が1である場合、前記BSRに含まれる前記ビットに対応するLCGがバッファインデックスを有することを示す、または、
前記第1のバイト内のビットの値が0である場合、前記BSRに含まれる前記ビットに対応するLCGがバッファインデックスを有していないことを示す
請求項12または13に記載の方法。
【請求項１５】
Kが8未満である、請求項9から14のいずれか一項に記載の方法。
【請求項１６】
X=K+1である、請求項9から15のいずれか一項に記載の方法。
【請求項１７】
前記K個のLCGに対応する前記K個のバッファインデックスは、前記BSRの第2のバイトから構成され、前記K個のバッファインデックスのシーケンスは、前記K個のLCGに対応する前記第1のバイト内の前記ビットのシーケンスに一致する、請求項9から16に記載の方法。
【請求項１８】
Nが8に等しい、請求項9から17のいずれか一項に記載の方法。
【請求項１９】
パディングビットが、前記BSR内の前記K個のバッファインデックスの後にさらに構成される、請求項9から18のいずれか一項に記載の方法。
【請求項２０】
Nが5に等しいとき、前記LCGの前記バッファインデックスによって示される前記アップリンクバッファ量は、Si=S2iLTE∪S2i+1LTEを満たし、iは前記バッファインデックスの値であり、iは0から31に及ぶ整数であり、Siは、前記バッファインデックスの値がiのときに示されるアップリンクバッファ量を示し、SjLTEは、前記ロングタームエボリューションLTEプロトコルで定義されたバッファインデックスの値がjのときに示されるアップリンクバッファ量を示し、jは0から63に及ぶ整数であり、∪は和集合演算子である、請求項1から19のいずれか一項に記載の方法。
【請求項２１】
1つのLCGのみがアップリンクバッファを有するとき、もしくは1つのLCGのみが報告されるべきバッファインデックスを有するとき、前記BRSは1バイトを占有し、LCG識別IDは前記バイト内の3ビットを占有し、前記LCG識別IDに対応するLCGバッファインデックスは、前記バイト内の残りの5ビットを占有する、または
M個のLCGがアップリンクバッファを有するとき、前記BSRは(M+1)バイトを占有し、前記M個のLCGに対応する前記BSRの第1のバイトのMビットは、対応するLCGのものであり、前記BSRに含まれるバッファインデックスを示し、各LCGのバッファインデックスは1バイトを占有する
請求項1から20のいずれか一項に記載の方法。
【請求項２２】
トランシーバとプロセッサとを含むユーザ機器であって、
前記プロセッサは、バッファステータス報告BSRを生成し、8つの論理チャネルグループLCGが前記UEのために構成され、前記BSRは、前記8つのLCGのうちの少なくとも1つのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在せず、
前記トランシーバは、前記プロセッサによって生成された前記BSRを送信する
ユーザ機器。
【請求項２３】
トランシーバとプロセッサとを含むユーザ機器であって、
前記プロセッサはバッファステータス報告BSRを生成するように構成され、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在せず、
前記トランシーバは前記BSRを送信するように構成される
ユーザ機器。
【請求項２４】
前記デバイスがメモリをさらに含み、前記メモリがコンピュータ命令を記憶し、前記コンピュータ命令が前記プロセッサによって実行され得る、請求項22または23に記載のユーザ機器。
【請求項２５】
トランシーバモジュールと処理モジュールとを含むユーザ機器であって、
前記処理モジュールが、バッファステータス報告BSRを生成するように構成され、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在せず、
前記トランシーバモジュールは前記BSRを送信するように構成される
ユーザ機器。
【請求項２６】
前記ユーザ機器が記憶モジュールをさらに含み、前記記憶モジュールがコンピュータ命令を記憶し、前記コンピュータ命令が前記処理モジュールによって実行され得る、請求項25に記載のユーザ機器。
【請求項２７】
前記BSRは、1つのLCGのアップリンクバッファ量を示すために使用され、前記BSRは、LCG IDをさらに含み、前記LCG IDは3ビットを占有し、Xは1または2であり、Nは5から13に及ぶ整数である、請求項22から26のいずれか一項に記載のユーザ機器。
【請求項２８】
Xが1に等しく、Nが5に等しい、請求項27に記載のユーザ機器。
【請求項２９】
前記BSRの第1のバイトの8ビットは、前記8つのLCGと1対1に対応しており、前記第1のバイトの各ビットは、対応するLCGがアップリンクバッファを有するかどうかを示すために使用される、請求項22から26に記載のユーザ機器。
【請求項３０】
前記BSRは、前記8つのLCG内のアップリンクバッファを有するK個のLCGの各々のバッファインデックスを含み、Kは正の整数である、請求項29に記載のユーザ機器。
【請求項３１】
前記第1のバイト内のビットの値が0である場合、前記ビットに対応するLCGがアップリンクバッファを有していないことを示す、または
前記第1のバイト内のビットの値が1である場合、前記ビットに対応するLCGがアップリンクバッファを有することを示す
請求項29または30に記載のユーザ機器。
【請求項３２】
前記BSRの第1のバイトの8ビットは、前記8つのLCGと1対1に対応しており、前記第1のバイトの各ビットは、前記BSRが対応するLCGのバッファインデックスを含むかどうかを示すために使用される、請求項22から26のいずれか一項に記載のユーザ機器。
【請求項３３】
前記BSRは、前記BSRが前記第1のバイト内にバッファインデックスを含むことを示すビットに対応するK個のLCGの前記バッファインデックスを含み、Kは正の整数である、請求項32に記載のユーザ機器。
【請求項３４】
前記第1のバイト内のビットの値が1である場合、前記BSRに含まれる前記ビットに対応するLCGがバッファインデックスを有することを示す、または、
前記第1のバイト内のビットの値が0である場合、前記BSRに含まれる前記ビットに対応するLCGがバッファインデックスを有していないことを示す
請求項32または33に記載のユーザ機器。
【請求項３５】
Kが8未満である、請求項29から34のいずれか一項に記載のユーザ機器。
【請求項３６】
X=K+1である、請求項29から35のいずれか一項に記載のユーザ機器。
【請求項３７】
前記K個のLCGに対応する前記K個のバッファインデックスは、前記BSRの第2のバイトから構成され、前記K個のバッファインデックスのシーケンスは、前記K個のLCGに対応する前記第1のバイト内の前記ビットのシーケンスに一致する、請求項29から36に記載のユーザ機器。
【請求項３８】
Nは8に等しい、請求項29から37のいずれか一項に記載のユーザ機器。
【請求項３９】
1つのLCGのみがアップリンクバッファを有するとき、もしくは1つのLCGのみが報告されるべきバッファインデックスを有するとき、前記BRSは1バイトを占有し、LCG識別IDは前記バイト内の3ビットを占有し、前記LCG識別IDに対応するLCGバッファインデックスは、前記バイト内の残りの5ビットを占有する、または
M個のLCGがアップリンクバッファを有するとき、前記BSRは(M+1)バイトを占有し、前記M個のLCGに対応する前記BSRの第1のバイトのMビットは、対応するLCGのものであり、前記BSRに含まれるバッファインデックスを示し、各LCGのバッファインデックスは1バイトを占有する
請求項22から38のいずれか一項に記載のユーザ機器。
【請求項４０】
トランシーバとプロセッサとを含むネットワーク側デバイスであって、
前記トランシーバが、バッファステータス報告BSRを受信するように構成され、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在せず、
前記プロセッサは前記BSRを処理するように構成される
ネットワーク側デバイス。
【請求項４１】
トランシーバモジュールと処理モジュールとを含むネットワーク側デバイスであって、
前記トランシーバモジュールが、バッファステータス報告BSRを受信するように構成され、前記BSRは、1つまたは複数のLCGのバッファインデックスを含み、前記LCGの前記バッファインデックスは、前記LCGのアップリンクバッファ量を示し、前記BSRはXバイトを占有し、1つのLCGのバッファインデックスはNビットを占有し、Xは1から17に及ぶ整数であり、Nは5から16に及ぶ整数であり、Xが1であり、Nが6である場合は存在せず、
前記処理モジュールは前記BSRを処理するように構成される
ネットワーク側デバイス。
【請求項４２】
前記ネットワーク側デバイスがメモリをさらに含み、前記メモリがコンピュータ命令を記憶し、前記コンピュータ命令が前記プロセッサによって実行され得る、請求項40に記載のネットワーク側デバイス。
【請求項４３】
前記ネットワーク側デバイスが記憶モジュールをさらに含み、前記記憶モジュールがコンピュータ命令を記憶し、前記コンピュータ命令が前記処理モジュールによって実行され得る、請求項41に記載のネットワーク側デバイス。
【請求項４４】
前記BSRは、8つのLCGのうちの1つのアップリンクバッファ量を示すために使用され、前記BSRは、LCG IDをさらに含み、前記LCG IDは3ビットを占有し、Xは1または2であり、Nは5から13に及ぶ整数である、請求項40から43のいずれか一項に記載のネットワーク側デバイス。
【請求項４５】
Xが1に等しく、Nが5に等しい、請求項44に記載のネットワーク側デバイス。
【請求項４６】
前記BSRの第1のバイトの8ビットは、8つのLCGと1対1に対応しており、前記第1のバイトの各ビットは、対応するLCGがアップリンクバッファを有するかどうかを示すために使用される、請求項40から43に記載のネットワーク側デバイス。
【請求項４７】
前記BSRは、前記8つのLCG内のアップリンクバッファを有するK個のLCGの各々のバッファインデックスを含み、Kは正の整数である、請求項46に記載のネットワーク側デバイス。
【請求項４８】
前記第1のバイト内のビットの値が0である場合、前記ビットに対応するLCGがアップリンクバッファを有していないことを示す、または
前記第1のバイト内のビットの値が1である場合、前記ビットに対応するLCGがアップリンクバッファを有することを示す
請求項46または47に記載のネットワーク側デバイス。
【請求項４９】
前記BSRの第1のバイトの8ビットは、8つのLCGと1対1に対応しており、前記第1のバイトの各ビットは、前記BSRが対応するLCGのバッファインデックスを含むかどうかを示すために使用される、請求項40から43のいずれか一項に記載のネットワーク側デバイス。
【請求項５０】
前記BSRは、前記BSRが前記第1のバイト内にバッファインデックスを含むことを示すビットに対応するK個のLCGの前記バッファインデックスを含み、Kは正の整数である、請求項49に記載のネットワーク側デバイス。
【請求項５１】
前記第1のバイト内のビットの値が1である場合、前記BSRに含まれる前記ビットに対応するLCGがバッファインデックスを有することを示す、または、
前記第1のバイト内のビットの値が0である場合、前記BSRに含まれる前記ビットに対応するLCGがバッファインデックスを有していないことを示す
請求項49または50に記載のネットワーク側デバイス。
【請求項５２】
Kが8未満である、請求項46から51のいずれか一項に記載のネットワーク側デバイス。
【請求項５３】
X=K+1である、請求項46から52のいずれか一項に記載のネットワーク側デバイス。
【請求項５４】
前記K個のLCGに対応する前記K個のバッファインデックスは、前記BSRの第2のバイトから構成され、前記K個のバッファインデックスのシーケンスは、前記K個のLCGに対応する前記第1のバイト内の前記ビットのシーケンスに一致する、請求項46から53に記載のネットワーク側デバイス。
【請求項５５】
Nは8に等しい、請求項46から54のいずれか一項に記載のネットワーク側デバイス。
【請求項５６】
1つのLCGのみがアップリンクバッファを有するとき、もしくは1つのLCGのみが報告されるべきバッファインデックスを有するとき、前記BRSは1バイトを占有し、LCG識別IDは前記バイト内の3ビットを占有し、前記LCG識別IDに対応するLCGバッファインデックスは、前記バイト内の残りの5ビットを占有する、または
M個のLCGがアップリンクバッファを有するとき、前記BSRは(M+1)バイトを占有し、前記M個のLCGに対応する前記BSRの第1のバイトのMビットは、対応するLCGのものであり、前記BSRに含まれるバッファインデックスを示し、各LCGのバッファインデックスは1バイトを占有する
請求項40から55のいずれか一項に記載のネットワーク側デバイス。
【請求項５７】
コンピュータ可読記憶媒体であって、前記コンピュータ可読記憶媒体がコンピュータ命令を記憶し、前記命令がコンピュータによって実行されると、請求項1から21のいずれか一項に記載の前記方法が実行される、コンピュータ可読記憶媒体。
【請求項５８】
コンピュータプログラムであって、前記コンピュータプログラムがコンピュータによって実行されると、請求項1から21のいずれか一項に記載の前記方法が実行される、コンピュータプログラム。
【請求項５９】
通信システムであって、前記通信システムが、請求項22から39のいずれか一項に記載の前記ユーザ機器、および請求項40から56のいずれか一項に記載の前記ネットワーク側デバイスを含む、通信システム。
【請求項６０】
請求項1から21のいずれか一項に記載の方法を実行するように構成された装置。
【請求項６１】
プロセッサを含む装置であって、前記プロセッサは、請求項1から21のいずれか一項に記載の方法を実施するように、メモリに記憶されたプログラムを実行するように構成される、装置。
【請求項６２】
請求項1から21のいずれか一項に記載の方法を実行するように構成されたプロセッサ。
【手続補正２】
【補正対象書類名】明細書
【補正対象項目名】００３４
【補正方法】変更
【補正の内容】
【００３４】
本発明の実施形態で言及されるネットワーク側デバイスの場合、ネットワーク側デバイスは基地局であってもよい。基地局は、受信されたオーバージエアフレームとIPパケットとの間の変換を実行し、ワイヤレス端末デバイスとアクセスネットワークの残りの部分との間のルータとして働くように構成されてもよい。アクセスネットワークの残りの部分は、インターネットプロトコル(Internet Protocol、IP)ネットワーク側デバイスを含み得る。基地局は、エアインターフェースの属性管理をさらに調整し得る。たとえば、基地局は、NRネットワークの次世代ノードB(Next generation NodeB、gNB)でもよく、LTEでの発展型ノードB(evolved NodeB、eNBまたはe-NodeB)でもよい。これは、本出願の実施形態では限定されない。
【手続補正３】
【補正対象書類名】明細書
【補正対象項目名】００７７
【補正方法】変更
【補正の内容】
【００７７】
メモリ41は、コンピュータ命令を記憶する。プロセッサ43がコンピュータ命令を実行すると、
プロセッサ43はBSRを生成し、8つの論理チャネルグループLCGがUEのために構成され、BSRは、8つのLCGのうちの少なくとも1つのバッファインデックスを含み、LCGのバッファインデックスは、LCGのアップリンクバッファ量を示し、BSRはXバイトを占有し、1つのLCGのバッファインデックスはNビットを占有し、Xは1から17に及ぶ整数であり、Nは5から16に及ぶ整数であり、Xが1であり、Nが6である場合は存在しない。
【手続補正４】
【補正対象書類名】明細書
【補正対象項目名】００７８
【補正方法】変更
【補正の内容】
【００７８】
トランシーバ42は、プロセッサ43によって生成されたBSRをネットワーク側デバイスに送信するように構成される。
【国際調査報告】
2020523945.tif 000018
2020523945.tif 000019
2020523945.tif 000020
2020523945.tif 000021